(57)【要約】【課題】使用中の電気機器の電源プラグがコンセントから抜かれることを防止する電源プラグ抜け防止コンセントを提供する。【解決手段】電源プラグ抜け防止コンセント１は、当該コンセントに挿入された電源プラグ２１を流れる電流を検出する検出部１１と、検出部１１により電流が検出された場合、電源プラグ２１を当該コンセントから抜けないように固定する固定部１２とを備える。【選択図】図１
2005235679.tif 000002
【特許請求の範囲】
【請求項１】
当該コンセントに挿入された電源プラグを流れる電流を検出する電流検出手段と、
前記電流検出手段により電流が検出された場合、前記電源プラグを当該コンセントから抜けないように固定するプラグ固定手段とを備える
ことを特徴とする電源プラグ抜け防止コンセント。
【請求項２】
前記プラグ固定手段は、電磁石部と永久磁石部とを備え、
前記永久磁石部は、前記電磁石部との反発力によって前記電源プラグの電源刃に開けられた貫通孔を貫通し、前記電源プラグを固定する
ことを特徴とする請求項１記載の電源プラグ抜け防止コンセント。
【請求項３】
前記プラグ固定手段は、
前記電流検出手段により電流が検出されると、前記電磁石部の極性を反転させる
ことを特徴とする請求項２記載の電源プラグ抜け防止コンセント。
【請求項４】
前記プラグ固定手段は、電磁石部と前記電磁石部に弾性体によって接続された磁性体部とを備え、
前記磁性体部は、前記電流検出手段により電流が検出されると、前記弾性体の復元力によって、前記電源プラグの電源刃に開けられた貫通孔を貫通し、前記電源プラグを固定する
ことを特徴とする請求項１記載の電源プラグ抜け防止コンセント。
【請求項５】
前記電磁石部は、前記電流検出手段により電流が検出されない場合に極性を有し、前記電流検出手段により電流が検出される場合に極性を失い、
前記弾性体は、前記電磁石部が極性を有する場合に前記磁性体が前記電磁石部に引き寄せられることによって収縮し、前記電磁石部が極性を失った場合に収縮前の状態に復元する
ことを特徴とする請求項４記載の電源プラグ抜け防止コンセント。
【請求項６】
当該コンセントに挿入された電源プラグに接続された電気機器の状態を検出する状態検出手段と、
前記状態検出手段により検出された前記電気機器の状態に応じて、前記電源プラグを当該コンセントから抜けないように固定又は当該コンセントから解放するプラグ固定手段とを備える
ことを特徴とする電源プラグ抜け防止コンセント。
【発明の詳細な説明】
【技術分野】
【０００１】
本発明は、電源プラグ抜け防止コンセントに関し、特に、使用中の電気機器の電源プラグがコンセントから抜かれることを防止する電源プラグ抜け防止コンセントに関する。
【背景技術】
【０００２】
パーソナルコンピュータ等の電気機器が使用中であるにもかかわらず、種々の理由で誤って電源プラグをコンセントから抜いてしまうことがある。このような場合、例えばパーソナルコンピュータで作業中のデータが失われてしまったり、ＶＴＲ等で録画中の番組の画像が途絶えてしまう。そこで、誤って電源プラグをコンセントから抜くことを防止するために、電気機器の使用状態を検出して表示する技術がある（特許文献１参照）。
【特許文献１】特開２０００−３０５６６１号公報
【発明の開示】
【発明が解決しようとする課題】
【０００３】
前述のように電気機器が使用中であることを表示するのみでは、誤って電源プラグをコンセントから抜くことを完全に防止することはできない。不注意で電源プラグをコンセントから抜いてしまう人は、かなりの割合で、使用中であることの表示にもあまり注意を払わず、電源プラグをコンセントから抜くことを繰り返すと予想される。また、電源コードに誤って足を引っかけて電源プラグをコンセントから抜いてしまうこともある。
【０００４】
一方、本発明者の検討によれば、電源プラグがコンセントから抜かれても差し支えない場合がある。即ち、当該電気機器が使用中でなければ（電源がオンでなければ）、電源プラグがコンセントから抜かれても何ら不都合はない。従って、当該電気機器の電源がオンの場合にのみその電源プラグがコンセントから抜かれないようにすれば良い。
【０００５】
本発明は、使用中の電気機器の電源プラグがコンセントから抜かれることを防止する電源プラグ抜け防止コンセントを提供することを目的とする。
【課題を解決するための手段】
【０００６】
本発明の電源プラグ抜け防止コンセントは、当該コンセントに挿入された電源プラグを流れる電流を検出する電流検出手段と、電流検出手段により電流が検出された場合、電源プラグを当該コンセントから抜けないように固定するプラグ固定手段とを備える。
【０００７】
本発明の電源プラグ抜け防止コンセントは、当該コンセントに挿入された電源プラグに接続された電気機器の状態を検出する状態検出手段と、状態検出手段により検出された電気機器の状態に応じて、電源プラグを当該コンセントから抜けないように固定又は当該コンセントから解放するプラグ固定手段とを備える。
【発明の効果】
【０００８】
本発明の電源プラグ抜け防止コンセントによれば、電流検出手段により電流が検出された場合、プラグ固定手段が電源プラグを当該コンセントから抜けないように固定するか、又は、状態検出手段により検出された電気機器の状態に応じて、例えば電気機器が使用中であればプラグ固定手段が電源プラグを当該コンセントから抜けないように固定する。従って、不注意な人が電源プラグをコンセントから抜こうとしても、また、電源コードに誤って足を引っかけても、電源プラグがコンセントから抜けることはない。これにより、電気機器が使用中である場合には、誤って電源プラグをコンセントから抜くことを完全に防止することができる。一方、電源プラグがコンセントから抜かれても差し支えない場合、即ち、当該電気機器に電流が流れていない場合又は当該電気機器が使用中でない場合、電源プラグはコンセントから抜けるので、プラグの抜き差しには何ら支障はない。
【発明を実施するための最良の形態】
【０００９】
図１は電源プラグ抜け防止コンセント構成図であり、特に、図１（Ａ）は本発明の電源プラグ抜け防止コンセントの構成の一例を示し、図１（Ｂ）は検出部及び固定部の構成の一例を示す。
【００１０】
図１（Ａ）に示すように、電源プラグ抜け防止コンセント（以下、コンセント）１は、電気機器２に対して、例えば商用電源１３を供給するためのものである。電気機器２は、例えばパーソナルコンピュータ、テレビ、ＶＴＲ、ＤＶＤ等であり、コンセント１を介してその電源、例えば商用電源１３を供給される機器である。コンセント１は、例えば室内の壁１４に埋め込まれている。コンセント１には電源コード２３の電源プラグ２１（の電源刃２２）が差し込まれる。
【００１１】
コンセント１は、当該コンセント１に挿入された電源プラグ２１を流れる電流を検出する電流検出手段である検出部１１と、電流検出手段１１により電流が検出された場合、電源プラグ２１（の電源刃２２）を当該コンセント１から抜けないように固定するプラグ固定手段である固定部１２とを備える。端子ａ及びｂは、商用電源１３に接続されているコンセント１の接続端子部分である。電源プラグ２１は、周知のように、例えば２本の平板形状の平行な電源刃２２を有する。電源刃２２には、周知のように、その先端の中央部に円形の貫通孔２２０（図３等参照）が形成されている。
【００１２】
電気機器２に電源コード２３を介して接続された電源プラグ２１（の電源刃２２）が、図１（Ａ）に示すように、コンセント１に差し込まれた後、電気機器２の電源（図示せず）が投入（オン）されると、端子ａ及びｂを通して、商用電源１３から電源プラグ２１（の電源刃２２）を介して電気機器２に電流が流れる。検出部１１は、２本の電源刃２２の一方を監視してこの電流を検出し、これに基づく検出信号を固定部１２に送る。固定部１２は、受信した検出信号に基づいて、電源プラグ２１の２本の電源刃２２の他方をコンセント１に固定する。
【００１３】
図１（Ｂ）に示すように、検出部１１は、電源刃２２（の一方）に流れる電流を検出する検出コイル１１１と、検出コイル１１１に生じた電流を検出する電流検知部１１２とを備える。固定部１２は、電流検知部１１２での検出結果（検出信号）に基づいて制御信号を形成する制御部１２１、制御信号に基づいて内部スイッチのオン／オフを制御するスイッチ部１２２、スイッチ部１２２における内部スイッチの状態に応じて電源刃２２（の他方）をロック／アンロック（固定／解放）するロック部１２３を備える。検出部１１及び固定部１２へは、スイッチ部１２２について代表して示すように、当該商用電源１３から電源が供給される。
【００１４】
図２乃至図４は、電源プラグ抜け防止コンセント構成図であり、特に、図２（Ａ）は電気機器２の電源プラグ２１が差し込まれていない状態のコンセント１の一部概略断面構造を示し、図３は電気機器２の電源プラグ２１は差し込まれたが電源オフ時のコンセント１の一部概略断面構造を示す図であり、図４は電気機器２の電源オン時のコンセント１の一部概略断面構造を示す図である。図２（Ｂ）は図２（Ａ）の矢印Ａから見たコンセント１の一部概略平面構造を示す図である。
【００１５】
図２（Ａ）及び図２（Ｂ）に示すように、コンセント１は、電源プラグ２１が差し込まれる差込口１００を備える。差込口１００は、電源プラグ２１の電源刃２２の数に対応して例えば２個設けられ、利用者にとっては相互の区別がない。差込口１００は、電源刃２２の形状に対応して、図２（Ｂ）に示すように、長方形の開口を有する。差込口１００の開口の内部は、導体からなる電源刃２２との摺動接触面１１３であり、永久磁石１０３が貫通する部分には設けられない。差込口１００には、端子ａ及びｂを介して、商用電源１３から電源が供給される。
【００１６】
２個の差込口１００の一方の周囲には、検出部１１（の一部）が設けられる。即ち、当該差込口１００を囲むように、検出コイル１１１のリング状の誘導巻線１１０が設けられる。従って、後述するように、当該電源刃２２に電流が流れると、電磁誘導によって検出コイル１１１に電流が生じる。２個の差込口１００の他方の周囲には、固定部１２の（の一部）が設けられる。即ち、当該差込口１００を挟むように、ロック部１２３が設けられる。ロック部１２３は、鉄心１０１と鉄心１０１に巻き付けられたコイル１０２とからなる電磁石部と、永久磁石１０３とそのガイドレール１０４とからなる永久磁石部と、止め具１０５とを備える。電磁石部はコンセント１に固定され、永久磁石１０３はガイドレール１０４に沿って移動可能に設けられる。永久磁石部と止め具１０５とは、図２（Ａ）に示すように、当該差込口１００を挟んで対向するように設けられる。
【００１７】
検出コイル１１１（及び誘導巻線１１０）を設ける位置は、電源刃２２の差込口１００の周囲でなくても良い。例えば、電源刃２２との摺動接触面１１３と端子ａとの間のいずれに設けても良い。更に、永久磁石１０３が貫通する側の摺動接触面１１３と端子ｂとの間のいずれに設けても良い。
【００１８】
図２において、コイル１０２、検出コイル１１１及び誘導巻線１１０は、図示の便宜上、全て実線で示している（他図においても同じ）。永久磁石１０３が貫通する側の摺動接触面１１３（及びコンセント１の本体部分）は、永久磁石１０３が貫通するように、例えばガイドレール１０４の断面と同一の円形状に、その一部が打ち欠かれる。この打ち欠かれた円形は、後述する電源刃２２の貫通孔２２０と同一又はやや大きな円形である。この打ち欠き部分から、止め具１０５が露出するようにされ、後述するように、当該露出部分に永久磁石１０３が当接する。
【００１９】
検出コイル１１１からの信号は、前述のように、検出信号を形成する電流検知部１１２と制御信号を形成する制御部１２１とを介してスイッチ部１２２に送られる。制御部１２１は、その制御信号に基づいて、スイッチ部１２２の内部スイッチを切り替える。スイッチ部１２２は、例えばリレースイッチ又はＭＯＳスイッチからなる内部スイッチ（スイッチ）１０８及び内部スイッチ（スイッチ）１０９を備える。スイッチ１０８及び１０９の一端はＡＣ／ＤＣコンバータ１０６に接続され、他方はコイル１０２の両端に接続される。ＡＣ／ＤＣコンバータ１０６は、端子ａ及びｂを介して商用電源１３に接続され、これから所定の電圧の直流電源を形成して、スイッチ１０８及び１０９に供給する。同様に、スイッチ部１２２以外の回路にもＡＣ／ＤＣコンバータ１０６から直流電源が供給される（図示せず）。
【００２０】
制御部１２１からの制御信号は、スイッチ１０８に入力され、また、インバータ１０７により反転された上で、スイッチ１０９に入力される。従って、スイッチ１０８及び１０９には相補信号が印加され排他的に制御される。即ち、スイッチ１０８がオンの場合にはスイッチ１０９がオフし、スイッチ１０８がオフの場合にはスイッチ１０９がオンする。これにより、スイッチ部１２２は、制御信号（の極性）の変化に応じて、ＡＣ／ＤＣコンバータ１０６の出力の極性を反転させて、コイル１０２に印加する。これにより、後述するように、電磁石部の極性が反転する。
【００２１】
図２（Ａ）に示すように、電源プラグ２１の電源刃２２が差込口１００に差し込まれていない状態では、検出コイル１１１に電流が流れることはない。従って、電流検知部１１２は検出信号のオフを形成して出力し、これに応じて、制御部１２１は第１の制御信号を形成して出力する。これに応じて、スイッチ部１２２において、例えばスイッチ１０８がオンとされスイッチ１０９がオフとなる。この時、鉄心１０１の極性は、Ｃ部（永久磁石１０３側）がＳ極、Ｄ部（差込口１００から遠い側）がＮ極である。永久磁石１０３は、Ａ部（差込口１００側）がＳ極、Ｂ部（鉄心１０１側）がＮ極である。従って、この時点では、永久磁石１０３は鉄心１０１に引き寄せられている。
【００２２】
次に、図３に示すように、電源プラグ２１が差込口１００に差し込まれただけであって、電気機器２の電源がオンされない状態では、検出コイル１１１に電流が流れることはない。従って、図２（Ａ）の場合と同様に、スイッチ１０８がオンとされスイッチ１０９がオフとされ、鉄心１０１の極性は、Ｃ部がＳ極、Ｄ部がＮ極のままである。従って、永久磁石１０３は鉄心１０１に引き寄せられている。即ち、永久磁石１０３は、電源刃２２の中央に形成されている貫通孔２２０を貫通することはない。従って、電源プラグ２１はアンロック（解放）状態である。なお、図３において、貫通孔２２０は、永久磁石１０３が貫通する側の電源刃２２についてのみ図示し、他方の電源刃２２の貫通孔２２０の図示は省略している（他の図においても同じ）。
【００２３】
次に、図４に示すように、電気機器２の電源がオンされると、商用電源１３から、端子ａ及びｂ、電源刃２２を介して、電気機器２に電流が流れる。この電源刃２２に流れる電流に応じて誘導巻線１１０に生じた磁界により、誘導巻線１１０に巻き付けられた検出コイル１１１に電流が誘起される。電流検知部１１２は、周知の電流検知手段と同様の構成を有し、この誘起された電流を検知すると、検出信号のオン（当該オフとは逆の極性の信号）を形成して出力し、これに応じて、制御部１２１は第２の制御信号（第１の制御信号とは逆の極性の信号）を形成して出力する。これに応じて、スイッチ部１２２において、それまでとは逆に、例えばスイッチ１０８がオフとされスイッチ１０９がオンとなる。これにより、鉄心１０１の極性も、それまでから反転して、Ｃ部がＮ極、Ｄ部がＳ極となる。即ち、スイッチ部１２２（固定部１２）は、電流検出手段１１により電流が検出されると、電磁石部の極性を反転させる。永久磁石１０３はＡ部がＳ極でＢ部がＮ極であるから、永久磁石１０３は、それまでとは逆に、鉄心１０１と反発しあう。この結果、永久磁石１０３は、電磁石部との反発力によって、ガイドレール１０４に沿って差込口１００の方向へ移動し、図４に示すように、電源プラグ２１の電源刃２２に開けられた貫通孔２２０を貫通し、止め具１０５に先端部が当接してその位置で（又は、これに近い位置で）停止する。従って、永久磁石１０３は電源プラグ２１をコンセント１に固定する。即ち、電源プラグ２１は差込口１００への挿入（及び抜き取り）方向には移動できない状態となる。従って、この状態で、例えば電源コード２３を足に引っかけたりして強く引っ張っても、電源プラグ２１がコンセント１から抜けることはない。
【００２４】
止め具１０５は、２本の電源刃２２に永久磁石１０３が貫通して電源プラグ２１がショートしてしまうことを防止する。従って、止め具１０５は永久磁石１０３を止め得る強度を有する。なお、図４において、永久磁石１０３は、止め具１０５に突き当たらない状態で示している（図７において同じ）。永久磁石１０３は、電源プラグ２１の電源刃２２に開けられた貫通孔２２０を貫通するので、その直径が当該貫通孔２２０よりもやや小さい円柱状とされる（Ａ部はやや尖った形状とされる）。ガイドレール１０４は、その内径が当該貫通孔２２０とほぼ等しい中空円筒形状とされる。
【００２５】
この後、電気機器２の電源がオフにされると、電源刃２２に電流が流れなくなる。これにより、検出コイル１１１に電流が流れなくなったことを電流検知部１１２が検知すると、再びそれまでとは逆に、スイッチ１０８がオンとされスイッチ１０９がオフとされる。即ち、図３の場合と同様の状態となる。従って、鉄心１０１の極性は、再びＣ部がＳ極、Ｄ部がＮ極となる。従って、永久磁石１０３は、再び鉄心１０１に引き寄せられる。即ち、先の移動とは逆方向に移動し、電源刃２２の中央に形成されている貫通孔２２０から抜けて、ガイドレール１０４に沿って元の状態（図３の状態）に戻る。即ち、鉄心１０１に当接してその位置で停止する。これにより、再び電源プラグ２１はアンロック（解放）状態となる。この状態では、例えば電源コード２３を足に引っかけると電源プラグ２１がコンセント１から抜ける可能性があるが、電気機器２の電源がオフである（即ち、使用していない）ので、不都合はない。
【００２６】
図５は、本発明のコンセント１の動作処理を説明する図である。電気機器２の電源プラグ２１がコンセント１に差し込まれ（ステップＳ１）、電気機器２の電源がオンされると（ステップＳ２）、コンセント１側において、検出コイル１１１に電流が発生し（ステップＳ３）、発生した電流を電流検知部１１２が検知して、これに基づいて検出信号のオンを形成して制御部１２１に送出し（ステップＳ４）、検出信号に基づいて制御部１２１が第１の制御信号を生成してスイッチ部１２２に送出する（ステップＳ５）。これに応じて、スイッチ部１２２がスイッチ１０８及び１０９のオン／オフをそれまでとは反対の状態に切り替えると（ステップＳ６）、極性の反転した電磁石部に反発した永久磁石１０３が電源刃２２の貫通孔２２０を貫通し、これにより、電源プラグ２１がロックされる（ステップＳ７）。
【００２７】
この後、電気機器２の電源がオフされると（ステップＳ８）、コンセント１側において、検出コイル１１１に電流が発生しなくなり（ステップＳ３）、電流検知部１１２がこれに基づいて検出信号のオフを生成して制御部１２１に送出し（ステップＳ９）、検出信号に基づいて制御部１２１が第２の制御信号を生成してスイッチ部１２２に送出する（ステップＳ１０）。これに応じて、スイッチ部１２２がスイッチ１０８及び１０９のオン／オフをそれまでとは反対の状態に切り替えると（ステップＳ１１）、極性の反転した電磁石部に引き寄せられた永久磁石１０３が電源刃２２の貫通孔２２０から抜け、これにより、電源プラグ２１がアンロックされる（ステップＳ１２）。この状態では、電源プラグ２１をコンセント１から抜くことができる。なお、電気機器２の電源のオン（ステップＳ２）とオフ（ステップＳ８）とは、必要に応じて繰り返される。また、コンセント１は、電流の発生／不発生（ステップＳ３）から電源プラグ２１のロック（ステップＳ７）又はアンロック（ステップＳ１２）までを繰り返す。
【００２８】
図６乃至図９は、本発明の他の電源プラグ抜け防止コンセント構成図であり、図２等に示す例において、スイッチ部１２２及びロック部１２３の構成を変更した例である。図６は電気機器２の電源プラグ２１が差し込まれていない状態のコンセント１の一部概略断面構造を示し、図７は電気機器２の電源オン時のコンセント１の一部概略断面構造を示す図である。図８及び図９は、本発明の他の電源プラグ抜け防止コンセントの部分拡大構成図である。
【００２９】
この例では、図６に示すように、スイッチ部１２２として１個のスイッチ２０２が設けられ、ロック部１２３において、永久磁石部に代えて、鉄等からなる磁性体２００と、その両端が磁性体２００と鉄心１０１とに固定された弾性体２０１（及びガイドレール１０４）とからなる磁性体部が設けられる。従って、ロック部１２３は、電磁石部と、電磁石部に弾性体２０１によって接続された磁性体部と、止め具１０５とを備える。電磁石部はコンセント１に固定され、磁性体部はガイドレール１０４に沿って移動可能に設けられる。磁性体２００は、鉄に限定するものではなく、通電によって磁化した電磁石部（の鉄心１０１）に引き寄せられる材質であればよい。弾性体２０１は、例えばコイルバネからなるが、ゴム等の他の弾性体であっても良い。
【００３０】
図６に示すように、電源プラグ２１の電源刃２２が差込口１００に差し込まれていない状態では、検出コイル１１１に電流が流れることはない。従って、電流検知部１１２は検出信号のオフを形成して出力し、これに応じて、制御部１２１は制御信号のオンを形成して出力する。これに応じて、スイッチ２０２がオンとされる。これにより、鉄心１０１が磁化され（極性を有し）、その極性は、例えば磁性体２００側がＳ極、差込口１００から遠い側がＮ極となる（この逆でも良い）。このように、磁化した鉄心１０１に磁性体２００がガイドレール１０４に沿って引き寄せられ、図８に示すように、弾性体２０１が収縮し、磁性体２００が鉄心１０１に当接してその位置で止まる。弾性体２０１は、図９に示すように、接着部（又は溶接部）２０４によって磁性体２００と鉄心１０１の双方に各端部が固定されており、標準（本来）の長さを有している。図８と図９との比較から判るように、図８の状態においては、収縮させられた弾性体２０１の復元力が働いている。
【００３１】
あるいは、弾性体２０１を磁性体２００と鉄心１０１との間に設置させるようにしてもよい（図１０、図１１）。即ち、磁性体２００と鉄心１０１とに弾性体２０１を接着させないようにする。このようにすれば耐用年数を超過した弾性体２０１のみを磁性体２００や鉄心１０１とは独立させて交換することが容易であり、また、弾性体２０１及び鉄心１０１に接着させる場合よりもスムーズに動作させることが可能である。なお、ガイドレール１０４と鉄心１０１との間から弾性体２０１が落ちないようにするために、ガイドレール１０４の端と鉄心１０１との間隔を小さくするか、間隔を設けないようにしておく。
【００３２】
次に、図示は省略するが、電源プラグ２１が差込口１００に差し込まれただけであって、電気機器２の電源がオンされない状態では、検出コイル１１１に電流が流れることはない。従って、図６の場合と同様である。
【００３３】
次に、図７に示すように、電源プラグ２１が差込口１００に差し込まれ、電気機器２の電源がオンされた状態では、電源刃２２に流れる電流に基づいて電流検知部１１２は検出信号のオンを形成して出力し、これに応じて制御部１２１は制御信号のオフを形成して出力する。これに応じて、それまでとは逆に、スイッチ２０２がオフとされる。これにより、磁化されていた鉄心１０１が磁化されなくなる。即ち、極性を失う。電磁石部は、電流が検出されない場合に極性を有し、電流が検出される場合に極性を失う。これにより、磁性体２００は、弾性体２０１の復元力によって、ガイドレール１０４に沿って差込口１００の方向へ移動し、図７に示すように、電源プラグ２１の電源刃２２に開けられた貫通孔２２０を貫通し、止め具１０５に先端部が当接してその位置で停止する。この時、弾性体２０１は図９の状態となる。このように、弾性体２０１は、電磁石部が極性を有する（磁石として働く）場合に磁性体２００が電磁石部に引き寄せられることによって収縮し、電磁石部が極性を失った（磁石として働かない）場合に収縮前の状態に復元する。従って、磁性体２００は、弾性体２０１の復元力によって、電源プラグ２１の電源刃２２に開けられた貫通孔２２０を貫通し、電源プラグ２１をコンセント１に固定する。これにより、電源プラグ２１は差込口１００への挿入（及び、抜き取り）方向には移動できない状態となり、電源プラグ２１がコンセント１から抜けることはない。
【００３４】
この後、電気機器２の電源がオフにされると、電源刃２２に電流が流れなくなる。これにより、検出コイル１１１に電流が流れなくなったことを電流検知部１１２が検知すると、再びそれまでとは逆に、スイッチ２０２がオンとされる。即ち、図６の場合と同様の状態となる。従って、磁性体２００は、再び鉄心１０１に引き寄せられる。即ち、先の移動とは逆方向に移動し、電源刃２２の中央に形成されている貫通孔２２０から抜けて、ガイドレール１０４に沿って元の状態（図６の状態）に戻る。即ち、鉄心１０１に当接してその位置で停止する。これにより、再び電源プラグ２１はアンロック（解放）状態となり、電源プラグ２１がコンセント１から抜ける可能性がある状態となる。
【００３５】
図１２は、本発明の更に他の電源プラグ抜け防止コンセント構成図であり、図１に示す例において、検出部１１を他の検出部１５とした例である。この例において、検出部１５は、コンセント１に挿入された電源プラグ２１に接続された電気機器２の状態を検出する状態検出手段である。そして、固定部１２は、検出部１５により検出された電気機器２の状態に応じて、電源プラグ２１をコンセント１から抜けないように固定し、又は、コンセント１から解放する。
【００３６】
具体的には、検出部１５は、例えば温度センサ１５０と温度検知部１５１とからなる。温度センサ１５０は、コンセント１に差し込まれた電源プラグ２１に接続された電気機器２へ電流が流れることによる電源刃２２の温度の上昇を検出する。温度検知部１５１は、温度の上昇が検出された場合、これに基づいて検出信号を形成する。この例では、温度の上昇が検出された場合、電気機器２の状態が使用中であるとして、図２の例又は図６の例と同様にして、電源プラグ２１がロックされる。温度の上昇が検出されない場合又は下降が検出された場合、電気機器２の状態が使用中でないとして、図２の例又は図６の例と同様にして、電源プラグ２１がアンロックされる。
【００３７】
なお、電気機器２の状態を検出する手段として、温度センサ１５０に代えて他の種々のセンサを用いて、当該センサにより他の種々の物理量（の変化）を検出して、これに基づいて、電源プラグ２１をロック又はアンロック状態としても良い。
【００３８】
以上、本発明をその実施の形態に従って説明したが、本発明は、その主旨の範囲内において種々の変形が可能である。例えば、電源プラグ２１は、周知のように、３本の電源刃２２を有していても良い。即ち、２本の平板形状の電源刃２２と、接地用の１本の円柱状の電源刃２２とからなっていても良い。電源刃２２を流れる電流の検出手段として、例えばサーミスタやＰＴＣを用いても良い。
【産業上の利用可能性】
【００３９】
本発明によれば、電源プラグ抜け防止コンセントにおいて、電流検出手段により電流が検出された場合、プラグ固定手段が電源プラグを当該コンセントから抜けないように固定するか、又は、状態検出手段により検出された電気機器の状態に応じて、例えば電気機器が使用中であればプラグ固定手段が電源プラグを当該コンセントから抜けないように固定する。一方、当該電気機器に電流が流れていない場合即ち使用中でない場合、電源プラグはコンセントから抜けるので、プラグの抜き差しには何ら支障はない。従って、電気機器が使用中である場合、不注意な人が電源プラグをコンセントから抜こうとしても、また、電源コードに誤って足を引っかけても、電源プラグがコンセントから抜けることを完全に防止することができる。
【図面の簡単な説明】
【００４０】
【図１】電源プラグ抜け防止コンセント構成図である。
【図２】電源プラグ抜け防止コンセント構成図である。
【図３】電源プラグ抜け防止コンセント構成図である。
【図４】電源プラグ抜け防止コンセント構成図である。
【図５】電源プラグ抜け防止コンセントの動作処理を説明する図である。
【図６】他の電源プラグ抜け防止コンセント構成図である。
【図７】他の電源プラグ抜け防止コンセント構成図である。
【図８】弾性体の収縮を示す図である。
【図９】収縮していない状態の弾性体を示す図である。
【図１０】他の弾性体の収縮を示す図である。
【図１１】収縮していない状態の他の弾性体を示す図である。
【図１２】更に他の電源プラグ抜け防止コンセント構成図である。
【符号の説明】
【００４１】
１    電源プラグ抜け防止コンセント
２    電気機器
１１    検出部
１２    固定部
１３    商用電源
２１    電源プラグ
２２    電源刃
１１１    検出コイル
１１２    電流検知部
１２１    制御部
１２２    スイッチ部
１２３    ロック部
【図１】
2005235679.tif 000003
【図２】
2005235679.tif 000004
【図３】
2005235679.tif 000005
【図４】
2005235679.tif 000006
【図５】
2005235679.tif 000007
【図６】
2005235679.tif 000008
【図７】
2005235679.tif 000009
【図８】
2005235679.tif 000010
【図９】
2005235679.tif 000011
【図１０】
2005235679.tif 000012
【図１１】
2005235679.tif 000013
【図１２】
2005235679.tif 000014